Podtech/llm-jp-corpus-v4-ja_patent huggingface dataset:
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
エアロゾル内の粒子質量を測定するための質量センサであって、
センサ要素と、
前記センサ要素に堆積した粒子の質量を検出するための検出器と、
感知動作を実行するための感知サイクルの間に前記検出器を動作させるためのコントローラと、
を有し、前記感知サイクルの間に前記センサ要素に粒子が堆積し、前記センサ要素の寿命は、連続する複数の感知サイクルの間に堆積する総質量に依存し、前記コントローラは、前記感知サイクルの間に、堆積した粒子により引き起こされる予め設定された質量の変化が引き起こされるように、前記感知サイクルの継続時間を設定するよう構成された、質量センサ。
【請求項２】
前記コントローラは更に、前記感知サイクルの継続時間から、サンプリングされたエアロゾルの体積を導出し、これにより単位体積当たりの粒子濃度を導出するよう構成された、請求項１に記載の質量センサ。
【請求項３】
前記検出器は、前記センサ要素を共鳴へと駆動し、前記センサ要素の共鳴周波数を検出するための、トランスデューサ要素を有し、前記共鳴周波数は、前記センサ要素に堆積した粒子の質量に依存する、請求項１又は２に記載の質量センサ。
【請求項４】
前記コントローラは更に、
初期共鳴周波数を測定し、
予め設定された質量の変化に対応する共鳴周波数のシフトを算出し、
前記共鳴周波数を監視して前記感知サイクルの継続時間を設定する
ように構成された、請求項３に記載の質量センサ。
【請求項５】
前記センサ要素は例えば、微小電気機械システムセンサを有する、請求項１乃至４のいずれか一項に記載の質量センサ。
【請求項６】
前記センサ要素は、両持ち共鳴梁又は片持ち共鳴梁を有する、請求項５に記載の質量センサ。
【請求項７】
前記感知サイクルの間に監視されるエアロゾルを前記センサ要素に向けて駆動するように動作するためのサンプル取り入れ装置を更に有する、請求項１乃至６のいずれか一項に記載の質量センサ。
【請求項８】
粒子質量が監視されるべき粒子サイズの範囲を選択するための粒子フィルタ構成を更に有する、請求項１乃至７のいずれか一項に記載の質量センサ。
【請求項９】
請求項１乃至８のいずれか一項に記載の質量センサを有する、空気処置装置。
【請求項１０】
エアロゾル内の粒子質量を測定する方法であって、
感知サイクルの間にセンサ要素に堆積した粒子の質量を検出することによって、感知動作を実行するステップと、
堆積した粒子により引き起こされる予め設定された質量の変化が引き起こされるように、前記感知サイクルの継続時間を設定するステップであって、前記センサ要素の寿命が、連続する複数の感知サイクルの間に堆積する総質量に依存する前記ステップと、
を有する方法。
【請求項１１】
前記感知サイクルの継続時間から、サンプリングされたエアロゾルの体積を導出するステップと、
単位体積当たりの粒子濃度を導出するステップと、
を有する、請求項１０に記載の方法。
【請求項１２】
前記検出するステップは、
前記感知サイクルの間に、前記センサ要素を共鳴へと駆動するステップと、
前記センサ要素に堆積した粒子の質量に依存する、前記センサ要素の共鳴周波数を検出するステップと、
を有する、請求項１０又は１１に記載の方法。
【請求項１３】
前記感知サイクルの開始時に初期共鳴周波数を測定するステップと、
設定された質量の変化に対応する共鳴周波数のシフトを取得するステップと、
前記共鳴周波数のシフトが生じるまで前記共鳴周波数を監視し、前記感知サイクルの継続時間を設定するステップと、
を有する、請求項１２に記載の方法。
【請求項１４】
前記感知サイクルの間に監視されるエアロゾルを前記センサ要素に向けて駆動するようサンプル取り入れ装置を制御するステップを更に有する、請求項１０乃至１３のいずれか一項に記載の方法。
【請求項１５】
粒子質量が監視されるべき粒子サイズの範囲を選択するための粒子フィルタリングを実行するステップを更に有する、請求項１０乃至１４のいずれか一項に記載の方法。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
エアロゾル内の粒子質量を測定するための質量センサを有する空気処理装置であって、前記質量センサは、
センサ素子と、
前記センサ素子を加熱するための加熱素子と、
前記センサ素子を共振させ、前記センサ素子の共振周波数を検出するためのトランスデューサ素子であって、前記共振周波数は、前記センサ素子上に堆積される粒子の質量に依存する前記トランスデューサ素子と、
前記加熱素子を動作させ、前記共振周波数において検出される変化に基づいて、加熱の間、前記質量における変化をモニタするためのコントローラと、
を有し、
前記コントローラは、
質量情報における変化をルックアップテーブルに格納された情報と比較することによって、イベントを生成しているエアロゾルと、前記イベントに関して期待される粒子サイズ分布とを識別し、
前記識別されたイベントと、対応する粒子サイズ分布とに依存して前記空気処理装置を制御する、
ように構成される、空気処理装置。
【請求項２】
前記コントローラが、
加熱無しの初期サンプリング動作を実施し、
後続の温度制御を実行する、
ように構成される、請求項１記載の空気処理装置。
【請求項３】
異なるタイプの粒子材料のための質量−温度関数に関する情報を有する前記ルックアップテーブルを更に有する、請求項２記載の空気処理装置。
【請求項４】
前記センサ素子が、共振器本体を持つＭＥＭＳセンサを有する、請求項１乃至３のいずれか１項に記載の空気処理装置。
【請求項５】
前記加熱素子が、前記共振器本体の表面上に形成された、又は、前記共振器本体に埋め込まれた、加熱トラックを有する、請求項４記載の空気処理装置。
【請求項６】
モニタされる前記エアロゾルを前記センサ素子の方に運ぶためにセンシングサイクルの少なくとも第１の部分の間に動作するサンプル吸入装置を更に有する、請求項１乃至５のいずれか１項に記載の空気処理装置。
【請求項７】
粒子質量が測定される粒子サイズの範囲を選択するための粒子フィルタ構成を更に有する、請求項１乃至６のいずれか１項に記載の空気処理装置。
【請求項８】
前記センサ素子の近傍において気体センサ素子を更に有する、請求項１乃至７のいずれか１項に記載の空気処理装置。
【請求項９】
空気処理装置を制御する方法であって、前記方法は、
エアロゾル内の粒子質量を測定するステップを有し、
前記測定は、
センサ素子を共鳴させるステップと、
前記センサ素子の共振周波数を検出するステップであって、前記共振周波数は、前記センサ素子上に堆積される粒子の質量に依存する前記検出するステップと、
前記センサ素子を加熱するステップと、
前記共振周波数において検出される変化に基づいて前記加熱の間の質量における変化をモニタするステップと、
を有し、
前記方法は、
質量情報における変化をルックアップテーブルに格納された情報と比較することによって、イベントを生成しているエアロゾルと、前記イベントに関して期待される粒子サイズ分布とを識別するステップと、
前記識別されたイベントと、対応する粒子サイズ分布とに依存して前記空気処理装置を制御するステップと、
を有する、方法。
【請求項１０】
加熱なしに初期サンプリング動作を実施するステップと、
後続の温度制御を実行するステップと、
を有する、請求項９記載の方法。
【請求項１１】
前記ルックアップテーブルが、加熱の間にモニタされた質量における変化から粒子情報を取得するために異なるタイプの粒子材料のための質量−温度関数に関する情報を有する、請求項９又は１０に記載の方法。
【請求項１２】
前記加熱素子が、共振器本体の表面上に形成された加熱トラックを有する、請求項９乃至１１のいずれか１項に記載の方法。
【請求項１３】
センシングサイクルの少なくとも第１の部分の間に前記センサ素子に向かってモニタされる前記エアロゾルを運ぶステップを更に有する、請求項９乃至１２のいずれか１項に記載の方法。
【請求項１４】
エアロゾル汚染がモニタされる粒子サイズの範囲を規定するための粒子フィルタリングを実行するステップを更に有する、請求項９乃至１３のいずれか１項に記載の方法。
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
システムオンチップ(「SoC」)内のブート段階を修正するための方法であって、
特定のブート段階に関連する、信頼できるメモリ構成要素内に記憶されたコード化された命令の元のインスタンス化に対する要求をプロセッサから受信するステップと、
前記要求に関して修正された命令が信頼できないメモリ構成要素内に存在すると決定するステップと、
前記SoCのセキュアな環境内で、メッセージ認証コード(「MAC」)アルゴリズムおよび秘密鍵の適用によってMAC出力を生成することに成功することによって、前記修正された命令が正規のものであることを検証するステップであって、前記秘密鍵が前記SoCに一意に関連し、前記MAC出力が、前記修正された命令に関連する、予想されるMACに等しく、前記セキュアな環境内で前記秘密鍵の秘密性が維持される、検証するステップと、
前記修正された命令が検証されて許可された場合には前記修正された命令を前記プロセッサにリターンし、さもなければコード化された命令の元のインスタンス化をリターンするステップと
を含む、方法。
【請求項２】
前記コード化された命令が第2ステージブートローダ(「SSBL」)に関連する、請求項1に記載の方法。
【請求項３】
前記コード化された命令が第3ステージブートローダ(「TSBL」)に関連する、請求項1に記載の方法。
【請求項４】
前記信頼できないメモリ構成要素がフラッシュメモリ構成要素である、請求項1に記載の方法。
【請求項５】
前記修正された命令が正規のものであることを前記検証するステップが、前記修正された命令の真正性および完全性を検証するステップを含む、請求項1に記載の方法。
【請求項６】
前記修正された命令が正規のものであることを前記検証するステップが、前記修正された命令が無効であると決定するステップと、命令のデフォルトブロックを作成するステップとを含み、
前記修正された命令を前記プロセッサに前記リターンするステップが、命令の前記デフォルトブロックをリターンするステップを含む
請求項1に記載の方法。
【請求項７】
前記修正された命令が正規のものであることを前記検証するステップが、前記修正された命令が無効であると決定するステップを含み、
前記修正された命令を前記プロセッサに前記リターンするステップが、ブートシーケンスを終了するステップを含む
請求項1に記載の方法。
【請求項８】
前記秘密鍵が前記SoC内に焼き込まれている、請求項1に記載の方法。
【請求項９】
システムオンチップ(「SoC」)内のブート段階を修正するためのコンピュータシステムであって、
特定のブート段階に関連する、信頼できるメモリ構成要素内に記憶されたコード化された命令の元のインスタンス化に対する要求をプロセッサから受信するための手段と、
前記要求に関して修正された命令が信頼できないメモリ構成要素内に存在すると決定するための手段と、
前記SoCのセキュアな環境内で、メッセージ認証コード(「MAC」)アルゴリズムおよび秘密鍵の適用によってMAC出力を生成することに成功することによって、前記修正された命令が正規のものであることを検証するための手段であって、前記秘密鍵が前記SoCに一意に関連し、前記MAC出力が、前記修正された命令に関連する、予想されるMACに等しく、前記セキュアな環境内で前記秘密鍵の秘密性が維持される、検証するための手段と、
前記修正された命令が検証されて許可された場合には前記修正された命令を前記プロセッサにリターンし、さもなければコード化された命令の元のインスタンス化をリターンするための手段と
を含む、コンピュータシステム。
【請求項１０】
前記コード化された命令がセカンドステージブートローダ(「SSBL」)に関連する、請求項9に記載のコンピュータシステム。
【請求項１１】
前記コード化された命令が第3ステージブートローダ(「TSBL」)に関連する、請求項9に記載のコンピュータシステム。
【請求項１２】
前記修正された命令が正規のものであることを前記検証するための手段が、前記修正された命令の真正性および完全性を検証するための手段を含む、請求項9に記載のコンピュータシステム。
【請求項１３】
前記修正された命令が正規のものであることを前記検証するための手段が、前記修正された命令が無効であると決定するための手段と、命令のデフォルトブロックを作成するための手段とを含み、
前記修正された命令を前記プロセッサに前記リターンするための手段が、命令の前記デフォルトブロックをリターンするための手段を含む
請求項9に記載のコンピュータシステム。
【請求項１４】
前記修正された命令が正規のものであることを前記検証するための手段が、前記修正された命令が無効であると決定するための手段を含み、
前記修正された命令を前記プロセッサに前記リターンするための手段が、ブートシーケンスを終了するための手段を含む
請求項9に記載のコンピュータシステム。
【請求項１５】
コンピュータ可読プログラムコードを含むコンピュータプログラムであって、前記コンピュータ可読プログラムコードが、コンピュータに請求項1から8のいずれか一項に記載の方法を行なわせるために前記コンピュータによって実行されるように構成される、コンピュータプログラム。
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
ビデオ処理デバイスにおいて、前記ビデオ処理デバイスと第１のデバイスとの間の通信セッションに関連する前記第１のデバイスからのオリエンテーションネゴシエーションメッセージを受信することと、前記オリエンテーションネゴシエーションメッセージは、前記第１のデバイスのオリエンテーションの表示と、前記第１のデバイスに関連する少なくとも１つの特性とを含む、
前記通信セッションを介して送信されたビデオデータのオリエンテーション処理を実施するために、前記ビデオ処理デバイスまたは前記第１のデバイスのいずれかを識別することと、前記識別することは、前記ビデオ処理デバイスの特性と、前記第１のデバイスの前記受信された少なくとも１つの特性との比較に少なくとも部分的に基づく、
前記第１のデバイスにメッセージを送信することと、前記メッセージは、前記識別することの結果を示す情報を含む、
を備える、方法。
【請求項２】
前記第１のデバイスに関連する前記特性が、前記第１のデバイスのバッテリーレベル、前記第１のデバイスの処理ユニット能力、前記第１のデバイスに関する電源、前記第１のデバイスのオリエンテーションセンサー能力、前記第１のデバイスに関する熱的状態、前記第１のデバイスに関する送信電力、および通信セッション参加者識別子のうちの少なくとも１つを含む、請求項１に記載の方法。
【請求項３】
前記処理ユニット能力が、複数のクロックサイクル、チップセット、メモリローテーション、熱効率、オペレーティングシステム、または命令セットを含む、請求項２に記載の方法。
【請求項４】
前記オリエンテーションネゴシエーションメッセージが、前記通信セッションを確立するより前に受信される、請求項１に記載の方法。
【請求項５】
前記オリエンテーションネゴシエーションメッセージが前記通信セッション中に受信される、請求項１に記載の方法。
【請求項６】
前記通信セッション中に前記ビデオ処理デバイスに関連する特性の変化を識別することと、
前記ビデオ処理デバイスがオリエンテーション処理を実施するために識別されなかったとき、前記ビデオ処理デバイスが前記変化した特性に基づいて、オリエンテーション処理を実施することができるかどうかを決定することと、
前記ビデオ処理デバイスがオリエンテーション処理を実施することができると決定するとき、前記ビデオ処理デバイスから前記第１のデバイスにオリエンテーション再ネゴシエーションメッセージを送信することと
をさらに備える、請求項１に記載の方法。
【請求項７】
前記メッセージが、セッション開始プロトコルまたはリアルタイムトランスポートプロトコルメッセージのうちの１つを備える、請求項１に記載の方法。
【請求項８】
前記ビデオ処理デバイスが、オリエンテーション処理を実施するデバイスとして識別されたとき、前記第１のデバイスの前記オリエンテーションと前記ビデオ処理デバイスのオリエンテーションとに少なくとも部分的に基づいて、前記通信セッション中に送信されるビデオデータのオリエンテーションを調整すること、請求項１に記載の方法。
【請求項９】
ビデオデータの前記オリエンテーションを調整することが、前記ビデオデータの１つまたは複数の部分を回転することを含む、請求項８に記載の方法。
【請求項１０】
前記ビデオ処理デバイスに関連する前記特性が、前記ビデオ処理デバイスのバッテリーレベル、前記ビデオ処理デバイスの処理ユニット能力、前記ビデオ処理デバイスに関する電源、前記ビデオ処理デバイスのオリエンテーションセンサー能力、前記ビデオ処理デバイスに関する熱的状態、前記ビデオ処理デバイスに関する送信電力、および通信セッション参加者識別子のうちの少なくとも１つを含む、請求項１に記載の方法。
【請求項１１】
ビデオ処理デバイスであって、
前記ビデオ処理デバイスと第１のデバイスとの間の通信セッションに関連する前記第１のデバイスからのオリエンテーションネゴシエーションメッセージを受信するための手段と、前記オリエンテーションネゴシエーションメッセージは、前記第１のデバイスのオリエンテーションの表示と、前記第１のデバイスに関連する少なくとも１つの特性とを含む、
前記通信セッションを介して送信されたビデオデータのオリエンテーション処理を実施するために、前記ビデオ処理デバイスまたは前記第１のデバイスのいずれかを識別するメッセージを生成するための手段と、前記生成するための手段は、前記ビデオ処理デバイスの特性と、前記第１のデバイスの前記受信された少なくとも１つの特性との比較に少なくとも部分的に基づいて、前記ビデオ処理デバイスまたは前記第１のデバイスのいずれかを識別するように構成される、
前記第１のデバイスに前記メッセージを送信するための手段と
を備える、ビデオ処理デバイス。
【請求項１２】
識別するための前記手段が、前記ビデオ処理デバイスの特性と、前記第１のデバイスの前記受信された少なくとも１つの特性との比較に基づいて識別するように構成された、請求項１１に記載のデバイス。
【請求項１３】
前記ビデオ処理デバイスが、オリエンテーション処理を実施するデバイスとして識別されたとき、前記第１のデバイスの前記オリエンテーションと前記ビデオ処理デバイスのオリエンテーションとに少なくとも部分的に基づいて、前記通信セッション中に送信されるビデオデータのオリエンテーションを調整するための手段をさらに備える、請求項１１に記載のデバイス。
【請求項１４】
ビデオ処理デバイスのプロセッサによって実行可能な命令を備える非一時的コンピュータ可読媒体であって、前記命令は、前記プロセッサによって実行されたとき、前記ビデオ処理デバイスに、請求項１ないし１０のいずれか一項に記載の方法を実施することを行わせる、非一時的コンピュータ可読媒体。
【手続補正書】
【提出日】平成30年5月30日(2018.5.30)
【手続補正１】
【補正対象書類名】明細書
【補正対象項目名】０００７
【補正方法】変更
【補正の内容】
【０００７】
しかし、システムの環境、モータハウジング、ブレード（aube）、パス（cheminement）のように、クリアランスおよび振動を測定するために使用される非侵入的センサは、運転中にそのセンサに加えられる熱負荷および機械的負荷の関数として経時的に展開する。
【手続補正２】
【補正対象書類名】明細書
【補正対象項目名】００６４
【補正方法】変更
【補正の内容】
【００６４】
フィルタ６１の帯域幅ΔＦは、発振器４の周波数Ｆ０を中心とし、通常は約３００ｋＨｚに固定された幅である。増幅器６２は、単位利得フォロワ増幅器であり、フィルタにかけられ増幅された電圧信号ＳＦＡを生成し、電圧信号ＳＦＡの振幅は、センサ１内のクリアランスＪに反比例して変化する。この信号は２つの同期検出器７Ｐおよび７Ｑに印加され、同期検出器７Ｐおよび７Ｑは、発振器４によって与えられる基準位相電圧ＶＲＰおよび基準直交電圧ＶＲＱによって制御される。同期検出器７Ｐおよび７Ｑは位相検出器であり、位相検出器は、フィルタにかけられ増幅された電圧信号ＳＦＡを二相直交成分信号ＳＰおよびＳＱに復調し、一方の信号ＳＰは、クリアランスＪを測定するために使用される。低周波成分信号ＳＰおよびＳＱは、制御ループを安定させるために、それぞれ積分器８Ｐおよび８Ｑにおいて相電圧ＶＰおよび直交電圧ＶＱに積分される。積分器８Ｐおよび８Ｑを出た電圧ＶＰおよびＶＱは、増倍率Ｋを有する２つの増幅器９Ｐおよび９Ｑの第１の入力に印加され、その結果、電圧ＶＰおよびＶＱにそれぞれ、増幅器９Ｐおよび９Ｑの第２の入力に印加される基準電圧ＶＲＰ＝ＶＲ  ｓｉｎ（２ωｔ）およびＶＲＱ＝ＶＲ  ｓｉｎ（２ωｔ＋π／２）を乗算する。
【手続補正３】
【補正対象書類名】明細書
【補正対象項目名】００７１
【補正方法】変更
【補正の内容】
【００７１】
増幅器５の出力において、誤差信号ＥＲは、部品Ａが静止しているときに通常ゼロである。運転中、タービンが回転すると、信号ＥＲは、静電容量センサ１の暗騒音、ならびに過渡信号、例えばブレードＡの通過だけを含み、過渡信号は制御の有限帯域幅ΔＦ内にある。
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
全血試料中の遊離ヘモグロビンの存在を検出するクロマトグラフ分析装置であって、
細孔径を有し、毛細管流体流動の経路を画定するクロマトグラフ検出パッドと、
前記クロマトグラフ検出パッド上の試料導入領域であって、前記クロマトグラフ検出パッドの第１の端部に隣接し、全血試料の一部を導入するための試料導入領域と、
前記クロマトグラフ検出パッド上の検出領域であって、前記試料導入領域の下流に前記導入領域から離れて位置する検出領域と、を備え、
前記クロマトグラフ検出パッドが、前記導入領域の下流に位置して、全血試料と反応する化合物を含有しない、クロマトグラフ分析装置。
【請求項２】
前記クロマトグラフ検出パッドの前記試料導入領域に流体接触する試料投入パッドを更に備える、請求項１に記載のクロマトグラフ分析装置。
【請求項３】
前記試料投入パッドが、少なくとも１種類の赤血球（ＲＢＣ）結合材料又は凝集材料を含み、全血試料の一部が該試料投入パッドに載置されると、前記赤血球物質が試料中の赤血球と凝集して凝集赤血球を生成し、この凝集赤血球が前記クロマトグラフ検出パッドの前記細孔径よりも大きい径を有することにより、当該凝集赤血球が前記クロマトグラフ検出パッドを通って流れることが防止される、請求項２に記載のクロマトグラフ分析装置。
【請求項４】
前記赤血球結合材料又は凝集材料がヒト赤血球（ｈＲＢＣ）結合又は凝集蛋白質を含有してなる、請求項３に記載のクロマトグラフ分析装置。
【請求項５】
前記赤血球結合材料又は凝集材料が、レクチン又は抗ヒト赤血球（ａｎｔｉ−ｈＲＢＣ）結合又は凝集蛋白質の少なくとも１つからなる、請求項３に記載のクロマトグラフ分析装置。
【請求項６】
前記クロマトグラフ検出パッドの前記細孔径が８ミクロンから１３ミクロンの間であり、該細孔径により、凝集赤血球が前記クロマトグラフ検出パッドを通って流れることが防止される、請求項１に記載のクロマトグラフ分析装置。
【請求項７】
前記クロマトグラフ検出パッドの前記細孔径により、個々の赤血球が前記クロマトグラフ検出パッドを通って流れることが防止される、請求項１に記載のクロマトグラフ分析装置。
【請求項８】
前記クロマトグラフ検出パッドの前記細孔径が２ミクロンより小さい、請求項１に記載のクロマトグラフ分析装置。
【請求項９】
前記試料投入パッドが、赤血球捕獲物質をもたない、請求項１に記載のクロマトグラフ分析装置。
【請求項１０】
請求項１に記載のクロマトグラフ分析装置の前記検出領域により反射される赤色光の量を検出して検出信号を出力する光学センサと、
前記検出信号を受信して全血試料中の遊離ヘモグロビンの量を決定するプロセッサと、を備えた医療診断装置であって、
ここで、前記検出領域により反射される赤色光の量が全血試料中の遊離ヘモグロビンの存在に起因し、遊離ヘモグロビン及び血漿が前記クロマトグラフ検出パッドを通って流れることが可能である、医療診断装置。
【請求項１１】
溶血に関し液体試料を検査する方法であって、
請求項１に記載のクロマトグラフ分析装置の前記検出領域により反射される赤色光の量を、全血試料の一部が前記試料導入領域に導入された後に測定し、
前記測定された反射赤色光の量に基づいて遊離ヘモグロビンのレベルを決定することを含み、
ここで、前記検出領域により反射される赤色光の量は全血試料中の遊離ヘモグロビンの存在に起因し、遊離ヘモグロビン及び血漿が前記クロマトグラフ検出パッドを通って流れることが可能である、方法。
【請求項１２】
前記反射赤色光の量が所定の参照値を超えると、試料に溶血があることを健康管理提供者に知らせることを更に含む、請求項１１に記載の方法。
【請求項１３】
同全血試料を用いる後続の検査の実施を中止することを更に含む、請求項１２に記載の方法。
【請求項１４】
前記反射赤色光の量が所定の参照値を超えなければ、同全血試料を用いる後続の検査の実施を許可し、
該後続の検査の結果を健康管理提供者へ報告することを更に含む、請求項１１に記載の方法。
【請求項１５】
前記クロマトグラフ検出パッドが前記導入領域の下流に配置された、液体試料中の遊離ヘモグロビンと反応する、試薬を含む請求項１に記載のクロマトグラフ分析装置。
【請求項１６】
前記試薬が、ジイソプロピルベンゼンジヒドロペルオキシド及び３，３’，５，５’−テトラメチルベンジジンの反応を触媒する、ヘモグロビンのペルオキシダーゼ様作用を活用する、請求項１５に記載のクロマトグラフ分析装置。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
オーバレイ画像を手術用顕微鏡によって生成される画像とオーバレイするための方法であって、
−  前記手術用顕微鏡を第１のモードで動作させるステップと、
−  センサによって得られるデータを記録するステップと、
−  動作を前記手術用顕微鏡上で引き起こすステップと、
−  前記記録されるデータからオーバレイ画像を生成するステップと、
−  少なくとも１つの撮像パラメータの第１の値を検索し、データ処理ユニットに前記第１の値を記憶するステップであって、前記少なくとも１つの撮像パラメータは、前記手術用顕微鏡のズーム、フォーカス、位置及び空間的なアライメントの１つ又は複数の設定パラメータであり、且つ前記記憶された第１の値は、前記撮像パラメータの最後の有効値に対応する、ステップと、
−  前記少なくとも１つの撮像パラメータにタイムスタンプを提供するステップと、
−  前記動作を行い、前記少なくとも１つの撮像パラ―メータを変更するステップと、
−  前記手術用顕微鏡の前記少なくとも１つの撮像パラメータの第２の値を記憶するステップと、
−  前記撮像パラメータの前記記憶された第１及び第２の値に従って前記オーバレイ画像を修正するステップと、
−  前記修正済みのオーバレイ画像を前記手術用顕微鏡によって生成される前記画像とオーバレイするステップと
を含む方法。
【請求項２】
−  前記手術用顕微鏡の前記少なくとも１つの撮像パラメータの前記第１の値を問い合わせるために、前記手術用顕微鏡の内部通信バスに要求を送信し、前記タイムスタンプに入力応答を割り当てるステップを含むことを特徴とする、請求項１に記載の方法。
【請求項３】
−  前記手術用顕微鏡と患者との間の相対位置を問い合わせるために位置決めシステムに要求を送信し、前記位置決めシステムに送信された前記要求に前記タイムスタンプを割り当てるステップであって、前記位置決めシステムへの前記要求及び前記内部通信バスへの前記要求が同時に送出される、ステップを含むことを特徴とする、請求項２に記載の方法。
【請求項４】
−  最後の決定からの前記少なくとも１つの撮像パラメータの最大変化の限界値を決定するステップと、
−  前記撮像パラメータの値の変化が前記限界値に到達すると、前記修正済みのオーバレイ画像の前記手術用顕微鏡によって生成される前記画像との前記オーバレイを破棄するステップ、前記修正済みのオーバレイ画像の前記手術用顕微鏡によって生成される前記画像との前記オーバレイを減らすステップ及び信頼性パラメータを数字若しくは記号として表示するステップの少なくとも１つを行うステップと
を含むことを特徴とする、請求項１〜３の何れか一項に記載の方法。
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
顕微鏡装置であって、
光源を備える照明光路、
カメラを備える検出光路、
容積を有する試料チャンバを備える光学的に均一な試料操作構成要素、
制御部、
処理部、ならびに
前記処理部により実行される時、前記制御部に
前記試料チャンバ内に設置された試料に対する複数のアライメントパラメータを取得するための較正手順を実行させ、及び
前記試料の三次元画像を生成するために、前記アライメントパラメータを利用する撮像手順を実行させる命令を含むコンピュータ可読媒体
を備える、前記顕微鏡装置。
【請求項２】
前記光学的に均一な試料操作構成要素が、ｘｙｚ−θ試料搭載ステージを備える、請求項１に記載の顕微鏡装置。
【請求項３】
前記ｘｙｚ−θ試料搭載ステージが、各次元で少なくとも４５ｍｍの移動範囲を有する、請求項２に記載の顕微鏡装置。
【請求項４】
前記光学的に均一な試料操作構成要素が、前記試料チャンバの前記容積よりも小さい容積を有する内側チャンバを備える、請求項１に記載の顕微鏡装置。
【請求項５】
前記内側チャンバが、キュベットである、請求項４に記載の顕微鏡装置。
【請求項６】
前記キュベットが、溶融石英を含む、請求項５に記載の顕微鏡装置。
【請求項７】
前記較正手順が、前記ｚ方向における試料に対する開始地点及び終了地点を特定すること、Ｚ−ステップ値を特定すること、又は、複数のタイルに試料をデジタル的に分割することを含む、請求項１に記載の顕微鏡装置。
【請求項８】
前記較正手順が、各位置に対するアライメントパラメータを取得するために、試料内の複数の位置で光シート及び検出焦点面をアライメントすることを含む、請求項１に記載の顕微鏡装置。
【請求項９】
前記較正手順が、２つの隣接する位置からの線形補間により、前記試料内の位置に対するアライメントパラメータを取得することを含む、請求項１に記載の顕微鏡装置。
【請求項１０】
前記光シート及び前記検出焦点面をアライメントすることが、画像品質測定値を最大化することを含み、前記測定値が、フーリエ空間における高周波及び低周波シグナルの比を含む光学焦点品質測定値である、請求項８に記載の顕微鏡装置。
【請求項１１】
前記撮像手順が、
アライメントパラメータを用いて前記試料の照射面と前記顕微鏡の検出焦点面をアライメントすること、
前記光源で前記照射面の直線部分を照明すること、及び
前記カメラで、前記照射面の前記照明された直線部分に沿って、複数の発された光シグナルを取り込むことを含む、請求項１に記載の顕微鏡装置。
【請求項１２】
前記撮像手順が、
前記照射面の複数の異なる直線部分を照射するために、前記光源を向けること、及び
前記カメラで、前記試料の二次元画像を形成するために、前記照射面の前記異なる直線部分のそれぞれに沿って、複数の発された光シグナルを取り込むことをさらに含む、請求項１１に記載の顕微鏡装置。
【請求項１３】
前記検出光路が、試料の屈折率に合致する屈折率を有する検出対物レンズを備える、請求項１に記載の顕微鏡装置。
【請求項１４】
前記装置が、２つの照明光路を備える、請求項１に記載の顕微鏡装置。
【請求項１５】
前記装置が、２つの検出光路を備える、請求項１４に記載の顕微鏡装置。
【請求項１６】
前記２つの照明光路が、前記光学的に均一な試料操作構成要素の両側から前記試料を照明するように構成される、請求項１４に記載の顕微鏡装置。
【請求項１７】
顕微鏡装置を用いて試料を撮像する方法であって、前記方法が、
光学的に均一な試料操作構成要素内の試料チャンバ内に前記試料を設置すること、
各位置に対するアライメントパラメータを取得するために、前記試料内の複数の位置で、１つ以上の光シート及び顕微鏡装置の１つ以上の検出焦点面をアライメントする較正手順を実施すること、
前記試料内の前記複数の位置のそれぞれから画像を収集する撮像手順を実施することであって、前記撮像手順が、
各位置に前記アライメントパラメータを適用すること、及び
光シートで前記位置を同時に照明すること及び前記位置の画像を取り込むことを含む撮像手順を実施すること、ならびに
各位置からの前記画像を用いて、前記試料の三次元画像を構成すること
を含む、方法。
【請求項１８】
前記撮像手順を実施することが、２つ以上の独立した光シートを用いて、前記試料の２つ以上の異なる面を同時に照明することを含む、請求項１７に記載の方法。
【請求項１９】
前記撮像手順を実施することが、単一の光シートの高速スイッチングを用いて、前記試料の２つの異なる面を同時に照明することを含む、請求項１７に記載の方法。
【請求項２０】
前記試料の屈折率に合致する屈折率を有する溶液で前記試料チャンバを充たすことをさらに含む、請求項１７に記載の方法。
【請求項２１】
前記較正手順が、各位置に対するアライメントパラメータを取得するために、前記試料内の複数の位置で光シート及び検出焦点面をアライメントすることを含む、請求項１７に記載の方法。
【請求項２２】
前記較正手順が、２つの隣接する位置からの線形補間により、前記試料内の位置に対するアライメントパラメータを取得することを含む、請求項１７に記載の方法。
【請求項２３】
前記光シート及び前記検出焦点面をアライメントすることが、画像品質測定値を最大化することを含み、前記測定値が、フーリエ空間における高周波及び低周波シグナルの比を含む光学焦点品質測定値である、請求項１７に記載の方法。
【請求項２４】
前記撮像手順が、
アライメントパラメータを用いて、前記試料の照射面とカメラの検出焦点面をアライメントすること、
前記光源で前記照射面の直線部分を照明すること、及び
前記照射面の前記照明された直線部分に沿って、複数の発された光シグナルを取り込むことを含む、請求項１７に記載の方法。
【請求項２５】
前記撮像手順が、
照射面の複数の異なる直線部分を照射するために、前記光源を向けること、及び
前記試料の二次元画像を形成するために、前記照射面の前記異なる直線部分のそれぞれに沿って、複数の発された光シグナルを取り込むことをさらに含む、請求項２４に記載の方法。
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
システムであって、
コンピューター実行可能命令を記憶するメモリーと、
プロセッサーとを備え、前記プロセッサーは、前記メモリーにアクセスし、かつ前記コンピューター実行可能命令を実行して、少なくとも、
ユーザーに関連付けられるデータストリームを識別し、
前記識別されたデータストリームの少なくとも一部分を処理するためのクエリを受信し、
前記識別されたデータストリームの属性を識別するコードを前記ユーザーから受信し、前記コードは、前記属性に少なくとも部分的に基づいて前記クエリを構成することが可能であり、さらに、
コンピューターシステムによって前記コードを前記クエリに関連付け、
前記コードが前記クエリに関連付けられた後、前記属性に少なくとも部分的に基づいて前記データストリームをパーティションするように前記クエリを構成し、
前記属性に少なくとも部分的に基づいて前記データストリームを複数の部分にパーティションし、
前記複数の部分のうち少なくとも１つのためのサブストリームを前記クエリに提供し、
前記提供されたサブストリームに少なくとも部分的に基づいて前記クエリの結果を提供する、ように構成される、システム。
【請求項２】
前記コードは、前記ユーザーに提供されるコントラクトに少なくとも部分的に基づくオブジェクト指向のクラスを含み、
前記クエリを構成することは、前記クエリを前記オブジェクト指向のクラスに結び付けることを含む、請求項１に記載のシステム。
【請求項３】
前記プロセッサーは、前記コンピューター実行可能命令を実行して、少なくとも、
前記クエリに少なくとも部分的に基づいて前記データストリームのイベントを受信し、
前記イベントを前記オブジェクト指向のクラスに提供し、
前記オブジェクト指向のクラスからの出力を受信する、ようにさらに構成される、請求項２に記載のシステム。
【請求項４】
前記データストリームは、前記オブジェクト指向のクラスからの出力に少なくとも部分的に基づいてパーティションされる、請求項３に記載のシステム。
【請求項５】
前記属性は、前記ユーザーのカスタマーのコンピューティングデバイスの第１の識別子、前記ユーザーに関連付けられる項目の第２の識別子、または前記項目に関連付けられる項目属性の第３の識別子のうち少なくとも１つを含む、請求項１〜４のいずれか１項に記載のシステム。
【請求項６】
前記カスタマーの前記コンピューティングデバイスの識別子は、前記カスタマーの前記コンピューティングデバイスのインターネットプロトコルアドレスを示す、または、前記カスタマーの前記コンピューティングデバイスが位置する地理的領域を示す、請求項５に記載のシステム。
【請求項７】
１つ以上のプロセッサーによって実行可能な複数の命令を含むコンピューター読取可能プログラムであって、前記複数の命令は、
ユーザーに関連付けられるデータストリームの少なくとも一部分を処理するためのクエリを前記１つ以上のプロセッサーに識別させる命令と、
前記識別されたデータストリームの属性を識別するコードを前記ユーザーから前記１つ以上のプロセッサーに受信させる命令とを含み、前記コードは、前記属性に少なくとも部分的に基づいて前記クエリを構成することが可能であり、さらに、
前記属性に少なくとも部分的に基づいて前記データストリームの１つ以上のサブストリームを処理するように前記クエリを前記１つ以上のプロセッサーに構成させる命令を含む、コンピューター読取可能プログラム。
【請求項８】
コンピューターにより実行される方法であって、
ユーザーに関連付けられるデータストリームをコンピューティングシステムによって識別することと、
前記識別されたデータストリームの少なくとも一部分を処理するためのクエリを受信することと、
前記識別されたデータストリームの属性を識別するコードを前記ユーザーから受信することとを含み、前記コードは、前記属性に少なくとも部分的に基づいて前記クエリを構成することが可能であり、さらに、
前記属性に少なくとも部分的に基づいて前記データストリームを少なくとも１つのサブストリームにパーティションするように前記コードを構成することと、
前記受信されたクエリを用いて前記少なくとも１つのサブストリームを処理することとを含む、コンピューターにより実行される方法。
【請求項９】
前記コードを前記クエリに関連付けることをさらに含む、請求項８に記載のコンピューターにより実行される方法。
【請求項１０】
前記少なくとも１つのサブストリームは、前記コードからの出力として受信された少なくとも第２のサブストリームと並行して、前記受信されたクエリを用いて処理される、請求項９に記載のコンピューターにより実行される方法。
【請求項１１】
前記クエリに少なくとも部分的に基づいて前記データストリームのイベントを受信することと、
前記受信されたコードに対応するｊａｖａクラスに前記イベントを提供することと、
前記属性に少なくとも部分的に基づいて前記イベントを処理するように前記ｊａｖａクラスを実施することと、
前記少なくとも１つのサブストリームを識別する前記ｊａｖａクラスからの出力を受信することとをさらに含む、請求項１０に記載のコンピューターにより実行される方法。
【請求項１２】
前記データストリームは、前記ｊａｖａクラスに少なくとも部分的に基づいてパーティションされる、請求項１１に記載のコンピューターにより実行される方法。
【請求項１３】
前記サブストリームは、前記複数の部分のうち少なくとも１つに対して行なわれるハッシュ関数に少なくとも部分的に基づいて生成される、請求項８〜１２のいずれか１項に記載のコンピューターにより実行される方法。
【請求項１４】
前記属性は、前記ユーザーのカスタマーに関連付けられるインターネットプロトコルアドレス、または前記ユーザーの前記カスタマーに関連付けられる地理的領域のうち少なくとも一方を含む、請求項８〜１３のいずれか１項に記載のコンピューターにより実行される方法。
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
エアベント内部の空気を外部に排出させるためのノズル、
上記ノズルの開閉を制御するノズル遮断部、
上記エアベント内部に形成された軸、
内部に磁石を含み、上記エアベント内部の空気の嵩に応じて上記軸の外部で位置が変化する浮き、
上記軸の内部に形成され、上記磁石との距離に対応してソレノイドを制御するための信号を伝達するリードスイッチ、及び
上記エアベント内部の水面の高さが急激に変化することを防止するために上記軸の下端に結合され、貫通するホールを含む遮り膜を備え、
上記ノズル遮断部は、マグネット及び上記エアベント内部の空気嵩に対応して上記マグネットを上記ノズルから離隔させる上記ソレノイドを含むことを特徴とする電子式ソレノイドエアベント。
【請求項２】
上記マグネットを収容するシリンダー、
上記マグネットの一端に形成されるゴムパッキング、及び
上記マグネットの他端に形成される弾性部材を含むことを特徴とする、請求項１に記載の電子式ソレノイドエアベント。
【請求項３】
上記リードスイッチは、上記リードスイッチに上記浮きがセンシングされるか否かに応じて上記ソレノイドを動作させることを特徴とする、請求項１に記載の電子式ソレノイドエアベント。
【請求項４】
上記ソレノイドは、上記弾性部材の弾性力以上に上記マグネットを引き寄せることを特徴とする、請求項２に記載の電子式ソレノイドエアベント。
【請求項５】
上記エアベントは、軸断面が上部に向かって狭くなるように形成されることを特徴とする、請求項１に記載の電子式ソレノイドエアベント。
【請求項６】
上記ノズルを人為的に開閉させるエア排出手動ボタンを含む、請求項１に記載の電子式ソレノイドエアベント。
【請求項７】
上記ソレノイドに駆動電源を供給する電源部を含む、請求項１に記載の電子式ソレノイドエアベント。
【請求項８】
上記ソレノイドの動作に関する情報を保存するデータ保存部を含む、請求項１に記載の電子式ソレノイドエアベント。
【請求項９】
上記動作に関する情報は、上記ソレノイドの時間別動作回数、動作した時間、動作時間当り排出されるエアの嵩情報のうち少なくとも一つを保存する、請求項８に記載の電子式ソレノイドエアベント。
【請求項１０】
エアベント内部の空気を外部に排出させるためのホールが形成されるノズル、
上記ノズルを密閉させ、上記エアベント内部の空気が第１嵩以上の場合、第２嵩未満になるまで上記ノズルを開放して上記空気を排出するノズル遮断部、
上記エアベント内部に形成された軸、
内部に磁石を含み、上記エアベント内部の空気の嵩に応じて上記軸の外部で位置が変化する浮き、
上記軸の内部に形成され、上記磁石との距離に対応して上記ノズル遮断部を制御するための信号を伝達するリードスイッチ、及び
上記エアベント内部の水面の高さが急激に変化することを防止するために上記軸の下端に結合され、貫通するホールを含む遮り膜を含むことを特徴とする電子式ソレノイドエアベント。
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
物体の存在を検出するための装置であって、
プリント回路基板と、
前記プリント回路基板の中心部分に配設される少なくとも1つのレーダー送信アンテナと、
前記少なくとも1つのレーダー送信アンテナからレーダー信号を受信するように各々が構成される、前記プリント回路基板の周縁に配設される複数のレーダー受信アンテナと、
前記プリント回路基板上に配設されるワイヤレス充電器の第1の送信コイルと、
前記第1の送信コイルに隣接して配設される前記ワイヤレス充電器の第2の送信コイルとを含み、前記少なくとも1つのレーダー送信アンテナが、前記第1の送信コイルと前記第2の送信コイルの各々の角に隣接して、かつ前記第1の送信コイルと前記第2の送信コイルの間に配設される、装置。
【請求項２】
レーダー処理回路をさらに含む、請求項1に記載の装置。
【請求項３】
前記レーダー処理回路が、
前記少なくとも1つのレーダー送信アンテナおよび前記複数のレーダー受信アンテナを前記レーダー処理回路から切り離し、
前記レーダー処理回路に誘起されるクロストーク信号を決定し、
前記受信されたレーダー信号から前記クロストーク信号を差し引く
ことによって、前記少なくとも1つのレーダー送信アンテナと前記複数のレーダー受信アンテナとの間のクロストークを打ち消すように構成される、請求項2に記載の装置。
【請求項４】
前記レーダー処理回路が、
レーダー処理ユニットの送信アンテナポートが前記レーダー処理ユニットの受信アンテナポートに接続される間に、前記装置のインパルス応答を測定し、
前記測定されたインパルス応答の逆関数を有する等化フィルタを前記受信されたレーダー信号に適用する
ことによって、前記装置の前記インパルス応答を等化するように構成される、請求項2に記載の装置。
【請求項５】
時間差分検出であって、
前記受信されたレーダー信号をフィルタリングすることと、
前記フィルタリングされた受信されたレーダー信号が所定の閾値を超えるとき、前記物体の前記存在を決定することと
を行うように前記レーダー処理回路が構成される、時間差分検出と、
空間差分検出であって、前記複数のレーダー受信アンテナのサブセットのうちの少なくとも1つからの前記受信されたレーダー信号が所定の閾値を超え、かつ前記複数のレーダー受信アンテナの前記サブセットうちの少なくとも他の1つからの前記受信されたレーダー信号が前記所定の閾値を超えないとき、前記物体の前記存在を決定することを行うように前記レーダー処理回路が構成される、空間差分検出と
のうちの少なくとも1つを利用して前記物体の前記存在を検出するように前記レーダー処理回路が構成される、請求項2に記載の装置。
【請求項６】
物体の存在を検出するための装置を動作させるための方法であって、
プリント回路基板の中心部分に配設される少なくとも1つのレーダー送信アンテナからレーダー信号を送信するステップと、
前記プリント回路基板の周縁に配設される複数のレーダー受信アンテナの少なくともサブセットを利用して、前記レーダー信号を受信するステップと、
前記受信されたレーダー信号の少なくとも1つの特性に基づいて、レーダー処理回路を利用して前記物体の前記存在を決定するステップと、
前記物体の前記存在を前記決定したことに少なくとも一部基づいて、前記プリント回路基板上に配設されるワイヤレス充電器の第1の送信コイル、および前記第1の送信コイルに隣接して配設される前記ワイヤレス充電器の第2の送信コイルに電力を供給するステップとを含み、前記少なくとも1つのレーダー送信アンテナが前記第1の送信コイルと前記第2の送信コイルの各々の角に隣接して、かつ前記第1の送信コイルと前記第2の送信コイルの間に配設される、方法。
【請求項７】
前記少なくとも1つのレーダー送信アンテナと前記複数のレーダー受信アンテナとの間のクロストークを打ち消すステップをさらに含み、前記打ち消すステップが、
前記少なくとも1つのレーダー送信アンテナおよび前記複数のレーダー受信アンテナをレーダー処理回路から切り離すステップと、
前記レーダー処理回路に誘起されるクロストーク信号を決定するステップと、
前記受信されたレーダー信号から前記クロストーク信号を差し引くステップとを含む、請求項6に記載の方法。
【請求項８】
前記装置のインパルス応答を等化するステップをさらに含み、前記等化するステップが、
レーダー処理ユニットの送信アンテナポートが前記レーダー処理ユニットの受信アンテナポートに接続される間に、前記インパルス応答を測定するステップと、
前記測定されたインパルス応答の逆関数を有する等化フィルタを前記受信されたレーダー信号に適用するステップとを含む、請求項6に記載の方法。
【請求項９】
前記物体の前記存在を前記決定するステップが、
前記受信されたレーダー信号をフィルタリングするステップと、
前記フィルタリングされた受信されたレーダー信号が所定の閾値を超えるとき、前記物体の前記存在を決定するステップと
を含む、時間差分検出と、
前記複数のレーダー受信アンテナの前記サブセットのうちの少なくとも1つからの前記受信されたレーダー信号が所定の閾値を超え、かつ前記複数のレーダー受信アンテナの前記サブセットうちの少なくとも他の1つからの前記受信されたレーダー信号が前記所定の閾値を超えないとき、前記物体の前記存在を決定するステップを含む、空間差分検出と
のうちの少なくとも1つを含む、請求項6に記載の方法。
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
サイクリングケイデンスを測定するデバイスであって、
前記デバイスの移動を検出し、前記移動に対応する動き信号を生成する動きセンサであって、前記動きセンサは、ジャイロスコープ信号を生成するジャイロスコープ及び加速度計信号を生成する単一の加速度計を含み、前記動き信号は、前記ジャイロスコープ信号及び前記加速度計信号の組み合わせを含む、動きセンサと、
前記動き信号に基づいて、動きベースのケイデンスを決定するケイデンス決定ユニットと、
前記デバイスを手首又は腕に取り付けるための取付けユニットと、
を含む、デバイス。
【請求項２】
前記ケイデンス決定ユニットは、前記動き信号の周波数を使用することによって、前記動きベースのケイデンスを決定する、請求項１に記載のサイクリングケイデンスを測定するデバイス。
【請求項３】
前記ケイデンス決定ユニットは、前記動きベースのケイデンスを決定する前に、前記動き信号を低域通過フィルタリングする１つ以上の低域通過フィルタユニットを含む、請求項１に記載のサイクリングケイデンスを測定するデバイス。
【請求項４】
光学センサを更に含む、請求項１に記載のサイクリングケイデンスを測定するデバイス。
【請求項５】
前記光学センサは、光学信号を生成し、前記ケイデンス決定ユニットは、前記光学信号を受信し、前記ケイデンス決定ユニットは更に、前記光学信号のみに基づいて、光学信号ベースのケイデンスを決定するか、又は、前記ケイデンス決定ユニットは、前記光学信号と前記動き信号との組み合わせに基づいて、組み合わされた光学信号−動きベースのケイデンスを決定する、請求項４に記載のサイクリングケイデンスを測定するデバイス。
【請求項６】
心拍数を測定し、前記心拍数に対応する心拍数信号を生成するセンサを含む、請求項１に記載のサイクリングケイデンスを測定するデバイス。
【請求項７】
前記ケイデンス決定ユニットは、前記動き信号に基づいて、前記動きベースのケイデンスを決定するサイクリングケイデンスアルゴリズムユニットを含む、請求項１に記載のサイクリングケイデンスを測定するデバイス。
【請求項８】
前記サイクリングケイデンスアルゴリズムユニットは更に、水平加速度成分を決定する、請求項７に記載のサイクリングケイデンスを測定するデバイス。
【請求項９】
１つ以上の環境パラメータを測定する環境測定ユニットを更に含むか、又は、１つ以上の生理学的パラメータを測定する生理学測定ユニットを更に含む、請求項１に記載のサイクリングケイデンスを測定するデバイス。
【請求項１０】
前記動き信号に基づいて、道路面の凸凹を決定する道路面モニタユニットを更に含む、請求項１に記載のサイクリングケイデンスを測定するデバイス。
【請求項１１】
サイクリングケイデンスを測定するデバイスの作動方法であって、
前記デバイスを手首又は腕に取り付けるステップと、
前記デバイスの移動を検出するステップと、
前記移動に対応する動き信号を生成するステップであって、前記動き信号は、前記デバイスと一体のジャイロスコープからのジャイロスコープ信号及び前記デバイスと一体の単一の加速度計からの加速度計信号の組み合わせを含む、ステップと、
前記動き信号に基づいて、動きベースのケイデンスを決定するステップと、
を含む、方法。